(57)【要約】      （修正有）【課題】とりわけ完全なシェービングを可能とし、効率的なシェービング性能を有しながら、卓越した皮膚への優しさを保証する切断ヘッドを提供する。【解決手段】少なくとも１つの上刃１及びこの上刃に対応する下刃７を含むかみそり用切断ヘッドに関する。上刃１及び下刃７は相互に可動であるように取り付けられ、駆動装置により相応に駆動されることができる。上刃１は、剃るべき皮膚に対する接触面４を備え、この面は、複数のウェブ５によって形成され、ウェブは、それぞれスロット６により境界づけられる。ウェブ５の長手方向延長部は、接触面４を境界づける梳端に実質的に垂直に延びる。接触面４は、凹状でありかつ梳端に向かって上昇するように構成されている。【選択図】図２
0003189610.tif 000002
【実用新案登録請求の範囲】
【請求項１】
少なくとも１つの上刃（１）及び前記上刃に対応する下刃（７）有し、前記上刃（１）及び下刃（７）は相対的に可動に支持され、駆動装置により駆動されることができ、前記上刃（１）が、剃るべき皮膚に対する接触面（４）を有し、前記接触面（４）が、それぞれスロット（６）により境界づけられる複数のウェブ（５）によって形成され、前記ウェブ（５）の長手方向延長部が、前記接触面（４）を境界づける梳端（１２）に実質的に垂直に延び、前記接触面（４）が、凹状でありかつ前記梳端（１２）に向かって上昇するように設計されている、電気かみそり用切断ヘッドであって、前記梳端（１２）が外半径（１５）を有し、前記外半径（１５）が、９０度未満の角（Ｗ）を囲み、前記接触面に垂直に測定した前記ウェブ（５）の厚みが、前記梳端（１２）に向かって増大することを特徴とする、切断ヘッド。
【請求項２】
前記接触面（４）が、２つの梳端を有し両方の梳端（１２）に向かって上昇することを特徴とする、請求項１に記載の切断ヘッド。
【請求項３】
前記接触面（４）に垂直に測定した前記ウェブ（５）の前記厚みが、両方の梳端（１２）に向かって増大することを特徴とする、請求項１又は２に記載の切断ヘッド。
【請求項４】
前記上下刃（１、７）が直線状に駆動されて相対的に振動し、前記梳端（１２）が前記振動方向に実質的に平行に延びることを特徴とする、請求項１〜３のいずれか一項に記載の切断ヘッド。
【請求項５】
前記スロット（６）の溝底（１９）が、少なくとも１つの半径（Ｒ）による弧の形状に丸められるよう設計されていることを特徴とする、請求項１〜４のいずれか一項に記載の切断ヘッド。
【請求項６】
前記凹状接触面（４）が内半径（１４）を有することを特徴とする、請求項１〜５のいずれか一項に記載の切断ヘッド。
【請求項７】
前記接触面（４）が、前記梳端（１２）に垂直に延びる軸（Ｑ）に対して凸状であるように設計されていることを特徴とする、請求項１〜６のいずれか一項に記載の切断ヘッド。
【請求項８】
少なくとも２つの切断システム（２０、２１）が、相互にかつ長手方向軸（Ｌ）に平行に設けられていることを特徴とする、請求項１〜７のいずれか一項に記載の切断ヘッド。
【請求項９】
前記２つの切断システム（２０、２１）が、前記長手方向軸（Ｌ）に沿って相互に、具体的には前記上刃の間隔（Ｔ）の半分だけずれていることを特徴とする、請求項８に記載の切断ヘッド。
【考案の詳細な説明】
【技術分野】
【０００１】
本発明は、請求項１の前提部による電気かみそり用切断ヘッドに関する。
【背景技術】
【０００２】
このような切断ヘッドは、例えばドイツ特許第Ｃ−１９２７０３２号から既知である。シェービング処理中、刈り込まれるべき毛は、このような切断ヘッドの上刃のスロットを通して梳かれ、上刃に対して相対的に動く下刃によって刈り込まれる。なお下刃にも、同様にスロット、すなわち切断歯が備えられている。このタイプの既知の切断ヘッドは平坦な接触面を有するが、このことは、毛を梳く機能に関しては不利に働く。別の切断ヘッドが、米国特許第２３３１２７４号から既知である。この切断ヘッドはわずかに凹状に形成された接触面を有するものの、２つの側壁のそれぞれにおいて内側に湾曲したビードのために、２つの外半径によって囲まれる角は著しい鈍角である。これは梳く毛の性質にとっては不利となる。更に、スロットは接触面に沿って中央に向かって細くなっている。かみそりの通過中に、ひげが挟まって引っ張られるということが生じやすい。側壁内のスロットの溝底を鋭角に設計しても、やはり毛は、望ましくないことに、極めて容易に挟まれて引き抜かれるようになるため、同様の不利が生じ、それによって皮膚に刺激を与えることから、皮膚への優しさという点で不利である。
【０００３】
更に、梳端の前に設けられた梳手段、並びにウェブを延ばした梳歯もまた既知であるが、いったんこれらの手段によって梳かれた毛は、その後、梳スロットから逸脱してしまうのが普通で、切断できなくなることが示されている。これは、シェービング性能に不利に働く。すなわち、シェービングの完全性が著しく低下するか、又は、良好なシェービング結果を得るために電気かみそりを通過させる回数を大幅に増加させねばならなくなる。
【先行技術文献】
【特許文献】
【０００４】
【特許文献１】ドイツ特許第Ｃ−１９２７０３２号
【特許文献２】米国特許第２３３１２７４号
【考案の概要】
【考案が解決しようとする課題】
【０００５】
したがって、本発明の目的は、とりわけ完全なシェービングを可能し、とりわけ効率的なシェービング性能を有しながら、卓越した皮膚への優しさを保証する、上述したタイプの切断ヘッドを創出することである。
【課題を解決するための手段】
【０００６】
この目的は、請求項１に特定される特徴を有する切断ヘッドによって達成される。本発明による解決法のゆえに、接触面の凹性、及び梳端（すなわち櫛先）に対応するウェブ端の露出した配置によって、つかみにくい毛でも確実にスロット内へと梳かれ、スロット内を誘導され、切断されるまで逸脱することができなくなる。その結果、櫛歯の露出した配置が梳きを促進し、また接触面の凹状内半径によって、皮膚（したがって剃られるべき毛）が接触面から持ち上がってウェブ間のスロットから離れてしまうようなことは起こり得なくなる。シェービング処理において皮膚への優しさを最高にするため、梳端には外半径が設けられる。本発明によれば、この外半径は９０度未満の角度を囲むため、かみそりが皮膚を通過中に非常にうまく毛を梳くことができる。
【０００７】
本発明の好ましい実施形態では、接触面に垂直に測定したウェブ厚が、梳端に向かって増大する。櫛先のこの領域における厚みが増大すると、切断ヘッドと皮膚との間の接触圧が、この露出した領域において最大になり、それゆえにこの領域で皮膚がスロットに比較的深く押し込まれ得ることから、皮膚により優しくなる。この領域における厚みが増大することで、皮膚が実際の切断領域、すなわち、上刃及び下刃が互いに他方の上を摺動するように相互に動き、上下刃の接触面がせん断ゾーンを形成する領域に、入り込むのを防ぐ。接触面は、好ましくは２つの梳端を有し、これら両方の梳端に向かって上昇している。特に、本実施形態においては、接触面に垂直に測定したウェブの厚みもまた、両方の梳端に向かって増大している。
【０００８】
本発明の追加的な実施形態によれば、上下刃は、直線状に駆動されて相互に振動し、梳端はこの振動方向に実質的に平行に延びる。
【０００９】
スロットの溝底が弧の形状に丸められるよう設計されている場合には、かみそりの通過中にこの領域に挟まり、痛みを伴って引っ張られる毛を確実になくすことができる。凹状の接触面が内半径を有する場合、梳端からの円滑な移行を行うことができ、これにより、かみそりの通過中の皮膚との接触に良い影響がもたらされる。
【００１０】
接触面は梳端に垂直に延びる軸に対して凸状に設計されるのが有利であり、その結果として、皮膚のひだ又は頸部のようないわゆる問題ゾーンをより容易かつ徹底的に剃ることができる。
【００１１】
本発明の追加的な目的、特徴、利点、及び可能な応用例は、以下の代表的な実施形態の説明から明らかになろう。説明又は描写する特徴はすべて、請求項におけるそれらの要約、又はそれらの従属性にかかわらず、単独で又は任意の組み合わせで、本発明の対象となる。
【００１２】
以下に、図を参照しつつ説明する。
【図面の簡単な説明】
【００１３】
【図１】本発明による切断ヘッドの斜視図。
【図２】図１による切断ヘッドの断面斜視図。
【図３】本発明による切断ヘッドを通る断面図。
【図４】本発明による切断ヘッド、又はウェブによって形成される接触面の拡大平面図。
【図５】本発明による切断ヘッドの拡大側面図。
【図６】本発明による切断ヘッドの拡大斜視図。
【考案を実施するための形態】
【００１４】
図１に示す切断ヘッドは、電気かみそりの単一の切断要素として用いることもできるし、又は、例えばドイツ特許第Ｃ−４３１２０６０号から既知であるような多重切断システムの一部とすることもできる。具体的には、３重切断システム内において、２つの箔切断要素の間に配置される中央の刃として用いられる。これらの箔切断要素に接続するために、上刃１の側壁部２は複数の開口３を有する。ほぼ棒状の切断ヘッドの、図１において上向きに示される表面は、横断方向Ｑに延びる複数のウェブからなる接触面４を形成する。各ウェブは、スロット９によって相互に分離されている。
【００１５】
上刃１内に下刃７が配置され、この下刃には、上刃１との接触領域内に、横断方向Ｑに延びる複数の歯８が設けられ、対応するウェブ５の縁部とともに、それ自体既知である方法によって切断ヘッドの刃先を形成する。下刃７は、その下部９にレセプタクル１０を有し、これにより、下刃７を駆動して長手方向軸Ｌの方向に振動させる駆動要素に係合する。
【００１６】
図示される本発明による切断ヘッドの実施形態は、長手方向及び横断方向の中心軸Ｑ及びＬに関して対称に設計され、全体として、相互に平行に配置された２つの接触面４を有し、接触面それぞれは対応する歯８の列を有し、これら２つの歯列の歯８は、外向きの支持壁に対して９０度相互にずれ、相互に遠ざかるようになっている。したがって、２つの接触面４はそれぞれ、相互に平行に位置する２つの切断システム２０、２１の１つと対応し、各切断システムは、歯８の列の１つを有することとなる。下刃は、図示されていないばねによる既知の方法により、上刃に対して弾性的に応力がかけられる。その結果、上刃１及び下刃７は、シェーバーの動作中、常時、相互に摺り接触状態に応力がかけられて係合している。
【００１７】
シェービング動作を行うためには、切断ヘッドは横断方向Ｑに前進し、そこで、剃られるべき毛が、長手方向軸Ｌに平行に延びる梳端１２の領域のウェブ５の間のスロット６内へと梳かれる。その後、これらの毛は、切断ヘッドが更に前進運動する間にスロット６内で誘導されるように、切断領域、つまり下刃６が上刃１のウェブ５と接触している領域へと送られ、そこで、相互に対応するウェブ５又は歯９の刃先によって刈り込まれる。
【００１８】
特に図３に示されるように、接触面４は断面Ｑにおいて凹状であるように設計された輪郭を有する。上刃１の梳端１２の領域における最大高さによって画定される上部境界面１３に対して、内半径１４に沿って内側に向かって高さが減少する。接触面４に垂直に測定したウェブ５の厚みもまた、梳端１２の領域内の最大厚みから、切断領域、つまり、毛が切断される、上刃と下刃との間の接触領域内の最小厚みへと、減少する。この減少分Ｈは、０．０１ｍｍ〜１．０ｍｍとなる。梳端１２の領域内において、ウェブは、約０．０１ｍｍ〜最大０．５ｍｍとなる外半径１５を有する。外半径１５は、凹状接触面４を、垂直に延びる側壁部２に接続する。外半径１５は、垂直側壁部２に平行な線と、凹状接触面４と外半径１５との間の移行領域における凹状接触面４の接線との交点での測定で鋭角、つまり９０度未満の角を囲む。この鋭角のために、かみそりの通過中に皮膚に対して押圧された際、外半径１５の領域内における接触圧が増大し、（皮膚に対する運動とあいまって、）剃られるべき毛を持ち上げ、それによって、スロット内への毛の梳きを促進又は補助することができる皮膚のロールが形成される。
【００１９】
側壁部２内で測定した梳スロットの全高１６は約１ｍｍとなり、したがって、長さがこれ以下の毛は、梳処理中に特定の角度に設定されなくても梳くことができる。その結果、これらの毛はもはや、続いて行われる実際の切断点への誘導中にスロットから逸脱するようなことはない。
【００２０】
上刃１の間隔、すなわち２つのウェブの中心線１６の間の間隔Ｔは約０．５５ｍｍとなる。この結果、極めて細身の切断システムが得られる。ウェブ幅１７は約０．２５ｍｍであることから、スロット幅１８は約０．３０ｍｍとなる。スロット幅１８がこのように狭いため、皮膚がスロットに梳かれて切断されるか、又はそこまで至らなくても刺激を受けるというような恐れはなくなる。ウェブ幅１７が狭いことで、切断ヘッドが皮膚上で前進運動する間に毛が皮膚に向かって倒されてスロットに梳かれず、実質的に切断されなくなるということが防がれ、したがっていわゆる「平坦化」及び毛の上を滑ってしまうことが阻止される。スロット幅の方が大きくて０．３：０．２５というスロット／ウェブ幅比であることにより、最適な毛梳きが保証される。
【００２１】
切断領域の最も薄い点Ｓ（図３参照）におけるウェブ厚は、約０．０６ｍｍである。この結果、毛を単に短くできるというだけではなく、かなり徹底的に剃ることもできる。
【００２２】
図４に示すように、相互に平行に位置する２つの切断システム２０、２１は、長手方向Ｌにおいて相互に間隔Ｔの半分、すなわち約０．２７５ｍｍずらして配置される。この結果、かみそりの通過中に、まさにウェブ５の１つの領域内にあって、スロット内へと梳かれて切断されることができない状態にある毛は、通過の方向において次に続く切断システム、すなわち第２の切断システム２０又は２１（いずれになるかは通過の方向による）のウェブを通して梳かれることができるが、これは、ウェブがカバーする範囲がずれているために、横断方向又はヘッドを引く方向Ｑに示されるように、各ウェブ５の次にはまたスロット６が来ることになるからである。前後で相互にずれた２つの切断システム２０及び２１の配置により、切断ヘッドが毛を梳き、送り、切断する確率は倍になる。スロット６（したがってまたウェブ５）は、梳端１２に垂直に延びることができるが（図６参照）、図４に示すように、これらはまた、梳端１２に対して数度、具体的には２度〜１０度の傾きを有してもよい。これにより、刃先が振動方向に垂直に延びる、対応する下刃７の動作特性が向上する。
【００２３】
図１に示されるように、接触面（４）は、梳端（１２）に垂直に延びる横断方向中心軸（Ｑ）に対し、凸状に設計されている。
【００２４】
図５によれば、接触面４に沿って約０．３０ｍｍという一定のスロット幅１８となるスロット６の幅が、側壁部２に沿って溝底１９に向かって、０．２３ｍｍというやや小さめの寸法２２へと漸減していることが明らかである。
【００２５】
図６によれば、ウェブ５が、梳端１２に垂直な延長部に沿って、つまりウェブの横断方向の延長部Ｑに平行な輪郭に沿って、丸められるよう設計されていることが極めて明瞭である。丸みは、０．０８ｍｍの半径でほぼ連続的に施されるが、最も薄いウェブ厚Ｓとなる領域内のみは、０．０４ｍｍという、より小さい半径Ｒ２の丸みが施されている。特に図５に示されるように、溝底１９は０．１ｍｍの半径Ｒにより丸められている。これらの丸みにより、接触面４に沿って一定のスロット幅１８及び溝底１９の丸みもあいまって、かみそりの通過中に毛が引き抜かれる可能性は著しく低減される。
【図３】
0003189610.tif 000003
【図４】
0003189610.tif 000004
【図５】
0003189610.tif 000005
【図６】
0003189610.tif 000006
【図１】
0003189610.tif 000007
【図２】
0003189610.tif 000008